(57)【要約】【課題】複数の無線デバイスの検査を可能にする通信機器を提供する。【解決手段】携帯電話機の下部筺体４内には、デバイス１１の接続先をアンテナ素子１１ａとコネクタ１０との間で切り替えるスイッチ１５が設けられている。そして、コネクタ１０からスイッチ１５にかけての伝送線路に方向性結合器１６を介挿し、更に、アンテナ素子１２ａ，１３ａ，１４ａからデバイス１２，１３，１４にかけての伝送線路且つグランドから方向性結合器１６のポートＰＡ３にかけての伝送線路に方向性結合器１７，１８，１９を介挿する。【選択図】図２
2010226631.tif 000002
【特許請求の範囲】
【請求項１】
筺体と、
前記筺体内に収容された複数の無線デバイスと、
前記筺体に配された接続部と、
前記接続部に接続された外部の検査器と前記複数の無線デバイスのうちの少なくとも何れか１つとの間で検査信号の送信及び受信の少なくとも何れか一方を行うための伝送線路を形成する伝送部と、
を備える通信機器。
【請求項２】
前記無線デバイスのうちの一部の無線デバイス毎にアンテナ素子を更に備え、
前記伝送部は、
前記一部の無線デバイスについて、前記接続部と前記アンテナ素子から前記デバイスにかけての伝送線路との間で検査信号の授受を行う結合部
を備えることを特徴とする請求項１記載の通信機器。
【請求項３】
前記複数の無線デバイスのうちの前記一部の無線デバイス以外の残りの無線デバイス毎にアンテナ素子を更に備え、
前記伝送部は、
前記残りの無線デバイスについて、当該残りの無線デバイスの接続先を前記接続部と前記残りの無線デバイスのアンテナ素子との間で切り替えるスイッチ
を更に備えることを特徴とする請求項２記載の通信機器。
【請求項４】
前記無線デバイス毎にアンテナ素子を備え、
前記伝送部は、
前記複数の無線デバイスのうちの第１の無線デバイスについて、当該第１の無線デバイスの接続先を前記接続部と前記アンテナ素子との間で切り替えるスイッチと、
前記接続部から前記スイッチにかけての伝送線路に介挿された第１の方向性結合器と、
前記第１の無線デバイス以外の第２の無線デバイスについて、前記アンテナ素子から当該第２の無線デバイスにかけての伝送線路、且つ、前記第１の方向性結合器の一のポートからグランドにかけての伝送線路に介挿された第２の方向性結合器と、
を備えることを特徴とする請求項１記載の通信機器。
【請求項５】
前記デバイス毎にアンテナ素子を備え、
前記伝送部は、
前記複数の無線デバイスのうちの第１の無線デバイスについて、当該第１の無線デバイスの接続先を前記接続部と前記アンテナ素子との間で切り替えるスイッチと、
前記第１の無線デバイス以外の第２の無線デバイスについて、一端が前記接続部から前記スイッチにかけての伝送線路に接続され、且つ、他端が前記アンテナ素子から前記第２の無線デバイスにかけての伝送線路に接続された結合コンデンサと、
を備えることを特徴とする請求項１記載の通信機器。
【発明の詳細な説明】
【技術分野】
【０００１】
本発明は、通信機器の筺体内に収容された複数の無線デバイスの検査技術に関する。
【背景技術】
【０００２】
携帯電話機などの通信機器は、複数の無線デバイスを筺体内に備え、無線デバイスの検査が行われる。
無線デバイスの検査手法として、例えば、無線デバイスと検査器との間で無線通信にて検査信号を送受信することによって、無線デバイスの検査を行う。この手法は、検査信号の送受信が無線通信にて行われるため、周囲の環境の影響を受けやすく、無線デバイスを定量的に検査することが難しい。
【０００３】
検査信号の送受信を無線通信ではなく、有線通信にて行う検査手法も各種提案されている。第１の検査手法として、無線デバイスの接続先をアンテナ素子と筺体に設けられたコネクタとの間で切り替えるスイッチを設ける。検査時、スイッチによって無線デバイスの接続先をコネクタにし、検査器をケーブルでコネクタに接続する。そして、検査器と無線デバイスとの間で有線通信にて検査信号を送受信することによって、無線デバイスの検査を行う。
【０００４】
また、第２の検査手法として、検査対象の無線デバイスとアンテナとを接続する信号導通線上にＲＦ（Radio Frequency）コネクタを設け、ＲＦコネクタに無線デバイスの高周波特性検査用の検査器を接続する。検査器からＲＦコネクタ経由で無線デバイスの検査を行う（例えば、特許文献１参照。）。
【先行技術文献】
【特許文献】
【０００５】
【特許文献１】特開２００１−３３３０２５号公報
【発明の概要】
【発明が解決しようとする課題】
【０００６】
ところで、通信機器には、複数の無線デバイスが筺体内に収容されており、複数の無線デバイスの検査が行われる。筺体内に収容された複数の無線デバイスの検査に上記の第１の検査手法を単に適用すると、検査対象の無線デバイスの数だけコネクタが必要となり、コスト上昇につながる。
また、上記の第２の検査手法を単に適用すると、検査対象の無線デバイスの数だけＲＦコネクタが必要となり、検査器をＲＦコネクタに接続するためのケーブルを筺体内に通すための開口をＲＦコネクタの数だけ筺体に設ける必要がある。このため、通信機器のコスト上昇につながるとともに、外観の見栄えが悪くなる。
【０００７】
そこで、本発明は、複数の無線デバイスの検査を可能にする通信機器を提供することを目的とする。
【課題を解決するための手段】
【０００８】
上記目的を達成するために本発明の通信機器は、筺体と、前記筺体内に収容された複数の無線デバイスと、前記筺体に配された接続部と、前記接続部に接続された外部の検査器と前記複数の無線デバイスのうちの少なくとも何れか１つとの間で検査信号の送信及び受信の少なくとも何れか一方を行うための伝送線路を形成する伝送部と、を備える。
上記の通信機器において、前記無線デバイスのうちの一部の無線デバイス毎にアンテナ素子を更に備え、前記伝送部は、前記一部の無線デバイスについて、前記コネクタと前記アンテナ素子から前記デバイスにかけての伝送線路との間で検査信号の授受を行う結合部を備えるようにしてもよい。
【０００９】
上記の通信機器において、前記複数の無線デバイスのうちの前記一部の無線デバイス以外の残りの無線デバイス毎にアンテナ素子を更に備え、前記伝送部は、前記残りの無線デバイスについて、当該残りの無線デバイスの接続先を前記接続部と前記残りの無線デバイスのアンテナ素子との間で切り替えるスイッチを更に備えるようにしてもよい。
上記の通信機器において、前記無線デバイス毎にアンテナ素子を備え、前記伝送部は、前記複数の無線デバイスのうちの第１の無線デバイスについて、当該第１の無線デバイスの接続先を前記接続部と前記アンテナ素子との間で切り替えるスイッチと、前記接続部から前記スイッチにかけての伝送線路に介挿された第１の方向性結合器と、前記第１の無線デバイス以外の第２の無線デバイスについて、前記アンテナ素子から当該第２の無線デバイスにかけての伝送線路、且つ、前記第１の方向性結合器の一のポートからグランドにかけての伝送線路に介挿された第２の方向性結合器と、を備えるようにしてもよい。
【００１０】
上記の通信機器において、前記デバイス毎にアンテナ素子を備え、前記伝送部は、前記複数の無線デバイスのうちの第１の無線デバイスについて、当該第１の無線デバイスの接続先を前記接続部と前記アンテナ素子との間で切り替えるスイッチと、前記第１の無線デバイス以外の第２の無線デバイスについて、一端が前記接続部から前記スイッチにかけての伝送線路に接続され、且つ、他端が前記アンテナ素子から前記第２の無線デバイスにかけての伝送線路に接続された結合コンデンサと、を備えるようにしてもよい。
【発明の効果】
【００１１】
上記の通信機器によれば、複数の無線デバイスの検査を可能にすることができる。
【図面の簡単な説明】
【００１２】
【図１】第１の実施の形態の携帯電話機の外観図。
【図２】図１の携帯電話機の下部筺体内の回路図。
【図３】第２の実施の形態の携帯電話機の下部筺体内の回路図。
【発明を実施するための形態】
【００１３】
≪第１の実施の形態≫
以下、本発明の第１の実施の形態について図面を参照しつつ説明する。なお、本実施の形態及び後述する第２の実施の形態では、通信機器の一つである折り畳み式の携帯電話機を例に挙げて説明する。
＜携帯電話機の外観＞
本実施の形態の携帯電話機１の外観について図１を参照しつつ説明する。図１は本実施の形態に係る携帯電話機１の外観の一例を示す図であり、（ａ）は携帯電話機１のオープンスタイルの正面図、（ｂ）は携帯電話機のオープンスタイルの背面図である。
【００１４】
携帯電話機１は、上部筺体２と下部筺体４とがヒンジ部３で連結されて構成される。上部筺体２は、メインディスプレイ５、サブディスプレイ６及びスピーカ７を備える。また、下部筐体４は、複数のキーが設けられた操作部８及びマイクロフォン９を備えるとともに、下部筺体４の側面には検査器に接続されたケーブルを接続するためのコネクタ１０を備える。下部筺体４内には複数の無線デバイスが収容されている。
【００１５】
＜携帯電話機の内部構成＞
図１の携帯電話機１の内部構成について図２を参照しつつ説明する。図２は図１の携帯電話機１の下部筺体４内の回路図である。
携帯電話機１の下部筺体４の側面には、上述したように、コネクタ１０が配されている。
【００１６】
携帯電話機１は、下部筺体４内に収容された、ＣＤＭＡ（Code Division Multiple Access）送受信デバイス１１と、ＧＰＳ（Global Positioning System）デバイス１２と、ＢＴ（Bluetooth）デバイス１３と、ＤＴＶ（Digital Television）デバイス１４とを備える。但し、ＣＤＭＡ送受信デバイス１１、ＧＰＳデバイス１２、ＢＴデバイス１３、及びＤＴＶデバイス１４は、無線デバイスに該当する。なお、本件は、コネクタ１０とＣＤＭＡ送受信デバイス１１、ＧＰＳデバイス１２、ＢＴデバイス１３、及びＤＴＶデバイス１４の各々との間の検査信号の伝送経路に主眼があるため、各デバイス１１〜１４の詳細説明は行わない。
【００１７】
また、携帯電話機１は、下部筺体４内に収容された、ＣＤＭＡ送受信デバイス１１、ＧＰＳデバイス１２、ＢＴデバイス１３、及びＤＴＶデバイス１４の各々に対応したアンテナ素子１１ａ，１２ａ，１３ａ，１４ａを備える。
更に、携帯電話機１は、下部筺体４内に収容された、スイッチ１５と、方向性結合器１６，１７，１８，１９と、抵抗値が５０Ωである抵抗素子２０，２１とを備える。なお、抵抗素子２０，２１の抵抗値は一例であってこれに限られるものではない。
【００１８】
スイッチ１５は、ＣＤＭＡ送受信デバイス１１の送信先をアンテナ素子１１ａとコネクタ１０との間で切り替えるスイッチであり、図示しないＣＰＵ（Central Processing Unit）などの制御部によって切り替え制御が行われる。携帯電話機１の通常使用時には、端子１５ａと端子１５ｂとが接続され、ＣＤＭＡ送受信デバイス１１はスイッチ１５及びアンテナ素子１１ａを介して他の携帯電話機との間で無線通信を行う。また、ＣＤＭＡ送受信デバイス１１の検査時には、端子１５ａと端子１５ｃとが接続され、ＣＤＭＡ送受信デバイス１１はスイッチ１５及び方向性結合器１６を介してコネクタに接続される。なお、ＣＤＭＡ送受信デバイス１１の検査時の検査信号の伝送経路については後述する。
【００１９】
方向性結合器１６は、ポートＰＡ１とポートＰＡ２との間の線路によってコネクタ１０からスイッチ１５の端子１５ｃにかけての伝送線路ＬＡ１の一部を形成するように介挿されている。
方向性結合器１７は、ポートＰＢ１とポートＰＢ２との間の線路によってアンテナ素子１２ａからＧＰＳデバイス１２にかけての伝送線路ＬＢ１の一部を形成するように介挿され、ポートＰＡ４とポートＰＡ３との間の線路によって方向性結合器１６のポートＰＡ３からグランドにかけての伝送線路Ｌ１の一部を形成するように介挿されている。携帯電話機１の通常使用時には、アンテナ素子１２ａによって受信された受信信号は、方向性結合器１７のポートＰＢ１、ポートＰＢ２を経由してＧＰＳデバイス１２へ伝送され、ＧＰＳデバイス１２は受信信号に基づいて緯度、経度等を算出する。なお、ＧＰＳデバイス１２の検査時の検査信号の伝送経路については後述する。
【００２０】
方向性結合器１８は、ポートＰＣ１とポートＰＣ２との間の線路によってアンテナ素子１３ａからＢＴデバイス１３にかけての伝送線路ＬＣ１の一部を形成するように介挿され、ポートＰＣ４とポートＰＣ３との間の線路によって方向性結合器１６のポートＰＡ３からグランドにかけての伝送線路Ｌ１の一部を形成するように介挿されている。携帯電話機１の通常使用時には、アンテナ素子１３ａによって受信された受信信号は、方向性結合器１８のポートＰＣ１、ポートＰＣ２を経由してＢＴデバイス１３へ伝送され、ＢＴデバイス１３は受信信号に応じた動作を行う。また、ＢＴデバイス１３から出力される送信信号は、方向性結合器１８のポートＰＣ２、ポートＰＣ１を経由してアンテナ素子１３ａから送信される。なお、ＢＴデバイス１３の検査時の検査信号の伝送経路については後述する。
【００２１】
方向性結合器１９は、ポートＰＤ１とポートＰＤ２との間の線路によってアンテナ素子１４ａからＤＴＶデバイス１４にかけての伝送線路ＬＤ１の一部を形成するように介挿され、ポートＰＤ４とポートＰＤ３との間の線路によって方向性結合器１６のポートＰＡ３からグランドにかけての伝送線路Ｌ１の一部を形成するように介挿されている。携帯電話機１の通常使用時には、アンテナ素子１４ａに受信された受信信号は、方向性結合器１９のポートＰＤ１、ポートＰＤ２を経由してＤＴＶデバイス１４へ伝送され、ＤＴＶデバイス１４は受信信号に応じた動作を行う。なお、ＤＴＶデバイス１４の検査時の検査信号の伝送経路については後述する。
【００２２】
なお、どのようなパラメータ（挿入損失、結合度、アイソレーション、方向性など）を持つ方向性結合器を方向性結合器１６，１７，１８，１９に用いるかは、次のことを考慮することによって行う。方向性結合器１６，１７，１８，１９によってＧＰＳデバイス１２、ＢＴデバイス１３、ＤＴＶデバイス１４の性能劣化が起こらないよう、挿入損失を低くする。また、送信機能があるＢＴデバイス１３などを接続する場合は送信波によって他の無線デバイスの性能が劣化しないよう、結合度、アイソレーションを決める。
【００２３】
＜ＣＤＭＡ送受信デバイスの検査時の検査信号の伝送経路＞
ＣＤＭＡ送受信デバイス１１の検査時には、スイッチ１５では上述したように端子１５ａと端子１５ｃとが接続される。
コネクタ１０に接続された検査器Ｄから送信されたＣＤＭＡ送受信デバイス１１の検査信号は、コネクタ１０、方向性結合器１６のポートＰＡ１、ポートＰＡ２、スイッチ１５を経由してＣＤＭＡ送受信デバイス１１へ伝送され、ＣＤＭＡ送受信デバイス１１は検査信号に応じた動作を行う。
【００２４】
また、ＣＤＭＡ送受信デバイス１１から送信された自デバイスの検査信号は、スイッチ１５、方向性結合器１６のポートＰＡ２、ポートＰＡ１、コネクタ１０を経由して検査器Ｄへ伝送され、検査器Ｄは検査信号に応じた動作を行う。
ここで、図２及び後述する図３に示されるように、ＣＤＭＡ送受信デバイス１１と、アンテナ素子１１ａ及びコネクタ１０を経由した検査器Ｄとの接続を切り替えるためにスイッチ１５を用いている理由は次の理由からである。すなわち、ＣＤＭＡ送受信デバイス１１は、送信電力の制御の際に他の無線デバイス（例えば、ＢＴデバイス１３）に比べてより正確な送信電力制御を必要とする。そのため、ＣＤＭＡ送受信デバイス１１の場合は、スイッチ１５により、ＣＤＭＡ送受信デバイス１１と、アンテナ素子１１ａ及びコネクタ１０を経由した検査器Ｄとの接続の切り替えを行い、検査の際にＣＤＭＡ送受信デバイス１１から検査器Ｄへ出力を行うことにより、例えば、ＢＴデバイス１３のように、方向性結合器１８などを用いる場合に比べて、方向性結合器１８などの通過特性のずれなどを除外してより正確な検査を行うことを可能とする。
【００２５】
これによって、ＣＤＭＡ送受信デバイス１１の受信特性や送信特性の検査が可能になる。
＜ＧＰＳデバイスの検査時の検査信号の伝送経路＞
コネクタ１０に接続された検査器Ｄから送信されたＧＰＳデバイス１２の検査信号は、コネクタ１０、方向性結合器１６のポートＰＡ１、ポートＰＡ３、方向性結合器１７のポートＰＢ４、ポートＰＢ２を経由して、ＧＰＳデバイス１２へ伝送され、ＧＰＳデバイス１２は検査信号に応じた動作を行う。
【００２６】
これによって、ＧＰＳデバイス１２の受信特性の検査が可能になる。
＜ＢＴデバイスの検査時の検査信号の伝送経路＞
コネクタ１０に接続された検査器Ｄから送信されたＢＴデバイス１３の検査信号は、コネクタ１０、方向性結合器１６のポートＰＡ１、ポートＰＡ３、方向性結合器１７のポートＰＢ４、ポートＰＢ３、方向性結合器１８のポートＰＣ４、ポートＰＣ２を経由して、ＢＴデバイス１３へ伝送される。そして、ＢＴデバイス１３は検査信号に応じた動作を行う。
【００２７】
また、ＢＴデバイス１３から送信された自デバイスの検査信号は、方向性結合器１８のポートＰＣ２、ポートＰＣ４、方向性結合器１７のポートＰＢ３、ポートＰＢ４、方向性結合器１６のポートＰＡ３、ポートＰＡ１、コネクタ１０を経由して検査器Ｄへ伝送される。そして、検査器Ｄは検査信号に応じた動作を行う。
これによって、ＢＴデバイス１３の受信特性や送信特性の検査が可能になる。
【００２８】
＜ＤＴＶデバイスの検査時の検査信号の伝送経路＞
コネクタ１０に接続された検査器Ｄから送信されたＤＴＶデバイス１４の検査信号は、コネクタ１０、方向性結合器１６のポートＰＡ１、ポートＰＡ３、方向性結合器１７のポートＰＢ４、ポートＰＢ３、方向性結合器１８のポートＰＣ４、ポートＰＣ３、方向性結合器１９のポートＰＤ４、ポートＰＤ２を経由して、ＤＴＶデバイス１４へ伝送される。そして、ＤＴＶデバイス１４は検査信号に応じた動作を行う。
【００２９】
これによって、ＤＴＶデバイス１４の受信特性の検査が可能になる。
上述した実施の形態によれば、コネクタ１０が各デバイス１１〜１４で供用されているため、各デバイス１１〜１４の検査を可能としつつ、コネクタの数を抑えることができ、コスト上昇を抑えることができる。
また、方向性結合器１６〜１９を利用することによって、コネクタ１０と各デバイス１１〜１４との間の検査信号の伝送経路を簡易な構成にできる。
【００３０】
更に、コネクタ１０とＣＤＭＡ送受信デバイス１１間でＣＤＭＡ送受信デバイス１１の検査信号のロスは小さく、アンテナ素子１２ａ〜１４ａとＣＤＭＡ送受信デバイス１１間でアンテナ素子１２ａ〜１４ａによる受信信号のロスは大きいため、ＣＤＭＡ送受信デバイス１１の検査を高い精度で行うことができる。
≪第２の実施の形態≫
以下、本発明の第２の実施の形態について図面を参照しつつ説明する。本実施の形態は、第１の実施の形態に対して、コネクタ１０とＧＰＳデバイス１２、ＢＴデバイス１３及びＤＴＶデバイス１４とを結合する仕組みを変更したものである。
【００３１】
＜携帯電話機の内部構成＞
本実施の形態の携帯電話機の内部構成について図３を参照しつつ説明する。図３は本実施の形態の携帯電話機の下部筺体４内の回路図である。なお、第１の実施の形態の構成要素と実質的に同じ構成要素には同じ符号を付し、その説明が適用できるためここでは省略する。
【００３２】
第１の実施の形態と異なり、スイッチ１５の端子１５ｃとコネクタ１０とは直接接続され、ＧＰＳデバイス１２とアンテナ素子１２ａとは直接接続され、ＢＴデバイス１３とアンテナ素子１３ａとは直接接続され、ＤＴＶデバイス１４とアンテナ素子１４ａとは直接接続されている。
携帯電話機１は、下部筺体４内に、一端がアンテナ素子１２ａからＧＰＳデバイス１２にかけての伝送線路ＬＢ２に接続され、他端がコネクタ１０からスイッチ１５の端子１５ｃにかけての伝送線路ＬＡ２に接続された結合コンデンサ３１を備える。また、携帯電話機１は、下部筺体４内に、一端がアンテナ素子１３ａからＢＴデバイス１３にかけての伝送線路ＬＣ２に接続され、他端がコネクタ１０からスイッチ１５の端子１５ｃにかけての伝送線路ＬＡ２に接続された結合コンデンサ３２を備える。更に、携帯電話機１は、下部筺体４内に、一端がアンテナ素子１４ａからＤＴＶデバイス１４にかけての伝送線路ＬＤ２に接続され、他端がコネクタ１０からスイッチ１５の端子１５ｃにかけての伝送線路ＬＡ２に接続された結合コンデンサ３３を備える。
【００３３】
なお、どのような容量を持つコンデンサを結合コンデンサ３１，３２，３３に用いるかは、次のことを考慮することによって行う。ＣＤＭＡ送受信デバイス１１の検査が正確に行えることと、実用の際に、ＧＰＳデバイス１２、ＢＴデバイス１３、ＤＴＶデバイス１４の結合によって性能劣化が起こらないよう、結合度を低くする必要がある。コンデンサ３１、３２、３３の容量値は、夫々、（１）接続されるＧＰＳデバイス１２、ＢＴデバイス１３、ＤＴＶデバイス１４で通信を行う周波数が、ＣＤＭＡ送受信デバイス１１で通信を行う周波数のうち最も高い周波数より高い場合、図３の例ではＢＴデバイス１３が該当し、ＢＴデバイス１３の周波数における通過特性が−２０ｄＢ程度になるようにコンデンサ３２の容量値を決定し、（２）接続されるＧＰＳデバイス１２、ＢＴデバイス１３、ＤＴＶデバイス１４で通信を行う周波数が、ＣＤＭＡ送受信デバイス１１で通信を行う周波数のうち最も高い周波数より低い場合、図３の例ではＧＰＳデバイス１２、ＤＴＶデバイス１４が該当し、ＣＤＭＡの最も高い周波数における通過特性が−２０ｄＢ程度になるように、コンデンサ３１，３３の容量値を設定する。
【００３４】
このように、コンデンサ３２の容量値をＢＴデバイス１３の周波数における通過特性が−２０ｄＢ程度となるようにしているのは、コンデンサによる接続は周波数が高いほど低い容量で結合度が高くなるために、高い周波数であるＢＴデバイス１３の周波数に着目し、ＢＴデバイス１３の出力やＢＴデバイス１３への入力がコンデンサ３２との結合により、アンテナ素子１３ａ及びＢＴデバイス１３以外にできるだけ漏れないように、コンデンサ３２の容量値を設定している。なお、上記−２０ｄＢという値は適宜変更することができ、本発明をこの−２０ｄＢの値に限定するものではない。
【００３５】
また、コンデンサ３１，３３の容量値をＣＤＭＡの最も高い周波数の通過特性が−２０ｄＢ程度となるようにしているのは、ＣＤＭＡ送受信デバイス１１を検査する際に、ＣＤＭＡ送受信デバイス１１の出力及びＣＤＭＡ送受信デバイス１１への入力が、コンデンサ３１，３３などの結合により検査器Ｄ及びＣＤＭＡ送受信デバイス１１以外へと漏れるのをできるだけ防止するためである。なお、上記−２０ｄＢという値は適宜変更することができ、本発明をこの−２０ｄＢの値に限定するものではない。
【００３６】
このように、コンデンサによる接続は周波数が高いほど低い容量で結合度が高くなるために、高い周波数に着目しその結合を低く抑えている。
ＣＤＭＡ送受信デバイス１１の検査信号は、ＣＤＭＡ送受信デバイス１１とコネクタ１０との間をスイッチ１５を介して伝送する。ＧＰＳデバイス１２の検査信号は、ＧＰＳデバイス１２とコネクタ１０との間を結合コンデンサ３１を介して伝送する。ＢＴデバイス１３の検査信号は、ＢＴデバイス１３とコネクタ１０との間を結合コンデンサ３２を介して伝送する。ＤＴＶデバイス１４の検査信号は、ＤＴＶデバイス１４とコネクタ１０との間を結合コンデンサ３３を介して伝送する。
【００３７】
上述した実施の形態によれば、コネクタ１０が各デバイス１１〜１４で供用されているため、各デバイス１１〜１４の検査を可能としつつ、コネクタの数を抑えることができ、コスト上昇を抑えることができる。
また、結合コンデンサ３１〜３３を利用することによって、コネクタ１０と各デバイス１１〜１４との間の検査信号の伝送経路を簡易な構成にできる。
【００３８】
更に、コネクタ１０とＣＤＭＡ送受信デバイス１１間でＣＤＭＡ送受信デバイス１１の検査信号のロスは小さく、アンテナ素子１２ａ〜１４ａとＣＤＭＡ送受信デバイス１１間でアンテナ素子１２ａ〜１４ａによる受信信号のロスは大きいため、ＣＤＭＡ送受信デバイス１１の検査を高い精度で行うことができる。
上記の第１及び第２の夫々の実施の形態の通信機器によれば、コネクタが複数の無線デバイスで供用されるため、コネクタの削減が図られ、コストの上昇を抑えることが可能になるとともに、複数の開口を設けることによる外観の見栄えの悪さを回避できる。
【００３９】
≪補足≫
本発明は上記の実施の形態で説明した内容に限定されず、本発明の目的とそれに関連又は付随する目的を達成するためのいかなる形態においても実施可能であり、例えば、以下であってもよい。
（１）上記の第１及び第２の実施の形態では、携帯電話機１が備える無線デバイスがＣＤＭＡ送受信デバイス１１、ＧＰＳデバイス１２、ＢＴデバイス１３、及びＤＴＶデバイス１４である場合を例に挙げて説明したが、これに限られるものではない。
【００４０】
（２）上記の第１及び第２の実施の形態では、通信機器の一つである折り畳み式の携帯電話機を例に挙げて説明したが、これに限られるものではなく、折り畳み式以外の携帯電話機であってもよく、携帯電話機以外の各種通信機器であってもよい。
（３）上記の第１及び第２の実施の形態では、コネクタ１０と複数のデバイス１１〜１４の各々との間で信号電力の授受を行うための伝送線路を形成する伝送部の構成は、上記の第１及び第２の実施の形態で説明した構成に限られるものではなく、例えば、図３のコンデンサ３１〜３３を接続先をアンテナ素子とコネクタとの間で切り替えるスイッチに置換したものであってもよい。
【産業上の利用可能性】
【００４１】
本発明は、通信機器の筺体内に収容された複数の無線デバイスの検査に利用できる。
【符号の説明】
【００４２】
１  携帯電話機
１０  コネクタ（接続部）
１１  ＣＤＭＡ送受信デバイス
１１ａ，１２ａ，１３ａ，１４ａ  アンテナ素子
１２  ＧＰＳデバイス
１３  ＢＴデバイス
１４  ＤＴＶデバイス
１５  スイッチ
１６，１７，１８，１９  方向性結合器（結合部）
２０，２１  アンテナ素子
３１，３２，３３  コンデンサ（結合部）
Ｌ１，ＬＡ１，ＬＢ１，ＬＣ１，ＬＤ１  伝送経路（伝送部）
ＬＡ２，ＬＢ２，ＬＣ２，ＬＤ２  伝送経路（伝送部）
【図１】
2010226631.tif 000003
【図２】
2010226631.tif 000004
【図３】
2010226631.tif 000005